(57)【要約】【課題】作業者に正しい動作で手洗い作業を遂行させる。【解決手段】手洗い作業において一以上の手洗い手順の模範動作を作業者に励行させる手洗い補助システムであって、表示部と、前記手洗い作業中の前記作業者の手指を撮像する撮像部と、前記撮像部によって撮像された手指画像と、前記一以上の手洗い手順のうち、前記作業者が行っている手洗い手順の模範動作を表す模範手洗い画像と、を前記表示部の同一画面上に表示させる処理部と、を備える。【選択図】図１
2019219554.tif 000002
【特許請求の範囲】
【請求項１】
手洗い作業において一以上の手洗い手順の模範動作を作業者に励行させる手洗い補助システムであって、 
表示部と、
前記手洗い作業中の前記作業者の手指を撮像する撮像部と、
前記撮像部によって撮像された手指画像と、前記一以上の手洗い手順のうち、前記作業者が行っている手洗い手順の模範動作を表す模範手洗い画像と、を前記表示部の同一画面上に表示させる処理部と、
を備える手洗い補助システム。
【請求項２】
前記処理部は、更に、前記手指画像から認識した前記作業者の手指の動作が、前記模範手洗い画像が表す模範動作と合致するための合致条件を満たしているか否かを判断し、当該判断の結果を前記同一画面上に表示させる
請求項１に記載の手洗い補助システム。
【請求項３】
前記処理部は、前記作業者の手指の動作が前記合致条件を満たしていないと判断した場合、前記判断の結果として、前記作業者の手指の動作が前記合致条件を満たす動作となるように指図する指図情報を表示させる
請求項２に記載の手洗い補助システム。
【請求項４】
前記模範手洗い画像は、半透明である請求項１に記載の手洗い補助システム。
【請求項５】
前記模範手洗い画像は、デフォルメした手指の画像を用いて表される請求項１に記載の手洗い補助システム。
【請求項６】
前記処理部は、前記手指画像をデフォルメした手指の画像に加工する請求項１に記載の手洗い補助システム。
【請求項７】
前記合致条件は、前記手指画像と前記模範手洗い画像とで重なっている手指の領域の面積が所定の基準よりも大きいことである
請求項２に記載の手洗い補助システム。
【請求項８】
前記合致条件は、前記手指画像から認識した手指の動作に関連する所定の特徴量と、前記模範手洗い画像が表す模範動作に関連する前記所定の特徴量と、が所定の一致条件を満たすことである
請求項２記載の手洗い補助システム。
【請求項９】
前記処理部は、前記模範手洗い画像の大きさと前記手指画像の大きさとが一致するように、前記模範手洗い画像及び前記手指画像の少なくとも一方の大きさを変更する
請求項１に記載の手洗い補助システム。
【請求項１０】
各手洗い手順を達成するための達成条件が、前記合致条件を満たしていると判断された前記作業者の手指の動作の回数又は時間に基づき予め定められ、
前記処理部は、更に、前記回数又は時間が前記達成条件を満たしているか否かを判断し、前記回数又は時間が前記達成条件を満たしていると判断するまでの間、次に行う手洗い手順の模範動作を表す模範手洗い画像を表示させない
請求項２に記載の手洗い補助システム。
【請求項１１】
記憶部を更に備え、
前記処理部は、更に、前記作業者の識別情報と、前記作業者の手指の動作が前記合致条件を満たしていると判断するまでに要した合致時間と、を対応付けて前記記憶部に記憶する
請求項３に記載の手洗い補助システム。
【請求項１２】
前記処理部は、前記作業者の識別情報と対応付けて前記記憶部に記憶されている前記合致時間が所定の第一時間よりも長い場合、前記指図情報を強調して表示させる
請求項１１に記載の手洗い補助システム。
【請求項１３】
音声を出力する音声出力部を更に備え、
前記処理部は、前記作業者の識別情報と対応付けて前記記憶部に記憶されている前記合致時間が所定の第一時間よりも長い場合、更に、前記作業者の手指の動作が前記合致条件を満たす動作となるように案内する案内音声を前記音声出力部に出力させる
請求項１１に記載の手洗い補助システム。
【請求項１４】
前記処理部は、前記作業者の識別情報と対応付けて前記記憶部に記憶されている前記合致時間が所定の第一時間よりも長い場合、前記模範手洗い画像を、当該模範手洗い画像が表す模範動作を異なる視線で見たときに視認される画像に変更する
請求項１１に記載の手洗い補助システム。
【請求項１５】
洗剤を吐出する洗剤吐出部を更に備え、
前記処理部は、前記作業者の識別情報と対応付けて前記記憶部に記憶されている前記合致時間が所定の第一時間よりも長い場合、更に、前記洗剤を吐出させるか否かを尋ねる第一メッセージを前記表示部に表示させ、
前記第一メッセージの表示後、前記洗剤吐出部によって前記洗剤が吐出された場合、前記模範手洗い画像を、前記一以上の手洗い手順のうち、最初に行う手洗い手順の模範動作を表す模範手洗い画像に変更する
請求項１１に記載の手洗い補助システム。
【請求項１６】
音声を取得する音声入力部を更に備え、
前記処理部は、前記作業者の識別情報と対応付けて前記記憶部に記憶されている前記合致時間が所定の第一時間よりも長い場合、更に、前記手洗い作業の管理者を呼び出すか否かを尋ねる第二メッセージを前記表示部に表示させ、
前記第二メッセージの表示後、前記音声入力部によって前記管理者を呼び出すことを示す音声が取得された場合、前記管理者を呼び出すための所定の処理を実行する
請求項１１に記載の手洗い補助システム。
【請求項１７】
前記処理部は、更に、前記回数又は時間が前記達成条件をどの程度満たしているかを表す達成度情報を前記同一画面上に表示させる
請求項１０に記載の手洗い補助システム。
【請求項１８】
記憶部を更に備え、
前記処理部は、更に、前記作業者の識別情報と、前記合致条件を満たしていると判断された前記作業者の手指の動作の回数又は時間が前記達成条件を満たしていると判断するまでに要した達成時間と、を対応付けて前記記憶部に記憶する
請求項１７に記載の手洗い補助システム。
【請求項１９】
前記処理部は、前記作業者の識別情報と対応付けて前記記憶部に記憶されている前記達成時間が所定の第二時間よりも短い場合、前記回数又は時間が前記達成条件を満たしているか否かを判断することに代えて、前記回数又は時間が、前記達成条件よりも厳しい代替条件を満たしているか否かを判断する
請求項１８に記載の手洗い補助システム。
【請求項２０】
前記処理部は、前記作業者の識別情報と対応付けて前記記憶部に記憶されている前記達成時間が所定の第二時間よりも短い場合、前記達成度情報を所定時間遅らせて表示させる
請求項１８に記載の手洗い補助システム。
【請求項２１】
手洗い作業において一以上の手洗い手順の模範動作を作業者に励行させる手洗い補助システムのコンピュータが実行する手洗い補助方法であって、 
前記手洗い補助システムのコンピュータが、
前記手洗い作業中の前記作業者の手指を撮像部に撮像させ、
前記撮像された手指画像と、前記一以上の手洗い手順のうち、前記作業者が行っている手洗い手順の模範動作を表す模範手洗い画像と、を表示部の同一画面上に表示させる手洗い補助方法。
【請求項２２】
手洗い作業において一以上の手洗い手順の模範動作を作業者に励行させる手洗い補助装置であって、 
表示部と、
前記手洗い作業中の前記作業者の手指を撮像する撮像部と、
前記撮像部によって撮像された手指画像と、前記一以上の手洗い手順のうち、前記作業者が行っている手洗い手順の模範動作を表す模範手洗い画像と、を前記表示部の同一画面上に表示させる処理部と、
を備える手洗い補助装置。
【発明の詳細な説明】
【技術分野】
【０００１】
本開示は手洗い行為において、特に、工場、病院及び介護施設等、作業に際して衛生的な手洗いが求められる作業者に模範的な手洗いを励行させるための補助システムに関する。
【背景技術】
【０００２】
環境中のあらゆる箇所に触れ得る手指は、感染症の原因となり得る菌・ウイルスを伝搬する主要な経路である。特に、工場、病院及び介護施設等の施設においては、作業者は、衛生的な手洗いが求められる。このため、各施設で、模範的な手洗い動作の指導や、模範的な手洗い画像の掲示による意識付けが行われている。
【０００３】
そこで、従来から、模範的な手洗い動作を作業者に励行させる技術が提案されている。例えば、特許文献１及び特許文献２では、一以上の手洗い手順に従って、各手洗い手順の模範となる画像を順番に画像表示器に表示する技術が提案されている。特許文献３及び非特許文献１では、画像認識技術を用いて、作業者の手指を撮像した画像から手洗いの動作の種類を識別し、動作時間に基づき、各種類の手洗いが遂行されたか否かを判断する技術が提案されている。
【先行技術文献】
【特許文献】
【０００４】
【特許文献１】特開２０１１−０９９９６８号公報
【特許文献２】特開２０１５−１３０９５０号公報
【特許文献３】特開２０１７−１３４７１２号公報
【非特許文献】
【０００５】
【非特許文献１】Ｓｈｏｇｏ  ＳＨＩＭＡＤＡ，Ｋｅｎｊｉ  ＦＵＮＡＨＡＳＨＩ，Ｋｅｎｔａ  ＩＴＯ，Ｙｏｓｈｉｍｉ  ＴＡＮＡＳＥ  ａｎｄ  Ｋｕｍｉｋｏ  ＩＷＡＺＡＫＩ、小児医療保育現場のためのＶＲ手洗い教育システムの検討、第２２回日本バーチャルリアリティ学会大会論文集、２０１７ 年９月、日本
【発明の概要】
【発明が解決しようとする課題】
【０００６】
しかしながら、上記従来技術では、模範的な手洗い動作を正しく認識しないまま手洗い作業が行われ、正しい動作で手洗い作業が遂行されない虞があった。
【０００７】
本開示は、前記従来の課題を解決するものであり、作業者に正しい動作で手洗い作業を遂行させることができる手洗い補助システムを提供することを目的とする。
【課題を解決するための手段】
【０００８】
前記従来の課題を解決するために、本開示の一態様に係る手洗い補助システムは、手洗い作業において一以上の手洗い手順の模範動作を作業者に励行させる手洗い補助システムであって、表示部と、前記手洗い作業中の前記作業者の手指を撮像する撮像部と、前記撮像部によって撮像された手指画像と、前記一以上の手洗い手順のうち、前記作業者が行っている手洗い手順の模範動作を表す模範手洗い画像と、を前記表示部の同一画面上に表示させる処理部と、を備える。
【発明の効果】
【０００９】
本開示によれば、作業者に正しい動作で手洗い作業を遂行させることができる。
【図面の簡単な説明】
【００１０】
【図１】本開示の実施形態に係る手洗い補助システムの概略構成図である。
【図２Ａ】洗浄装置の概略正面図である。
【図２Ｂ】洗浄装置の概略右側面図である。
【図３】作業者テーブルの一例を示す図である。
【図４】洗浄実績テーブルの一例を示す図である。
【図５】作業者の手洗い作業を補助する動作の一例を示すフローチャートである。
【図６】模範手洗い画像の表示例を示す図である。
【図７】模範手洗い画像、手指画像及び指図情報の表示例を示す図である。
【図８】模範手洗い画像、手指画像及び指図情報の他の表示例を示す図である。
【図９】模範手洗い画像、手指画像及び指図情報の変形表示例を示す図である。
【図１０】模範手洗い画像、手指画像及び指図情報の他の変形表示例を示す図である。
【発明を実施するための形態】
【００１１】
（本開示の基礎となった知見）
【００１２】
環境中のあらゆる箇所に触れ得る手指は、感染症の原因となり得る菌・ウイルスを伝搬する主要な経路である。特に、工場、病院及び介護施設等の施設においては、作業者は、衛生的な手洗いが求められる。このため、各施設で、模範的な手洗い動作の指導や、模範的な手洗い画像の掲示による意識付けが行われている。
【００１３】
そこで、従来から、模範的な手洗い動作を作業者に励行させるための技術が提案されている。例えば、特許文献１では、各手洗い工程において、模範的な手洗い画像を規定時間表示パネルに表示する手洗い補助装置が提案されている。また、特許文献２では、特許文献１の技術と同様に、手洗い手順に従って、各手洗い手順の模範画像を順番に画像表示器に表示する手洗い装置および衛生管理システムが提案されている。
【００１４】
特許文献３では、模範的な手洗い動作の遂行を判定する手洗い監視システムが提案されている。また、非特許文献１では、小児医療保育現場のためのＶＲ手洗い教育システムが検討されている。これらのシステムでは、画像認識技術を用いて、撮像した手指の動作が予め定められた六種類の手洗い動作のうち何れの種類であるかを識別し、各種類の手洗い動作が規定の秒数行われると、手洗いが正しく遂行されたと判断する。
【００１５】
しかしながら、特許文献１及び特許文献２の技術では、模範画像が自身の手指と離れた場所に表示されるので、作業者が、自身の洗い方と模範画像の洗い方の違いを正しく認識できない虞があった。特許文献３及び非特許文献１の技術では、作業者が、システムを初めて利用する時や手洗い動作に癖がある場合等、模範的な手洗い動作を予め正しく認識していないために、誤った認識のまま手洗い動作を行う虞があった。これにより、洗うべき箇所が洗えていない、または、手洗いが正しく遂行されたと判断できない虞があった。
【００１６】
そこで、本開示に係る実施形態では、手洗い作業において一以上の手洗い手順の模範動作を作業者に励行させる手洗い補助システムであって、表示部と、前記手洗い作業中の前記作業者の手指を撮像する撮像部と、前記撮像部によって撮像された手指画像と、前記一以上の手洗い手順のうち、前記作業者が行っている手洗い手順の模範動作を表す模範手洗い画像と、を前記表示部の同一画面上に表示させる処理部と、を備える手洗い補助システムが提供される。
【００１７】
本態様によれば、作業者の手指を撮像した手指画像と、作業者が行っている手洗い手順の模範動作を表す模範手洗い画像と、が同一画面上に表示される。このため、手洗い作業中の作業者に、自身の手指の動作と、作業者が行っている手洗い手順の模範動作と、を同時に視認させることができる。これにより、予め指導することなく、一以上の手洗い手順の模範動作を作業者に行わせることができる。その結果、作業者に正しい動作で手洗い作業を遂行させることができる。
【００１８】
上記態様において、前記処理部は、更に、前記手指画像から認識した前記作業者の手指の動作が、前記模範手洗い画像が表す模範動作と合致するための合致条件を満たしているか否かを判断し、当該判断の結果を前記同一画面上に表示させてもよい。
【００１９】
本態様によれば、作業者の手指を撮像した手指画像と、作業者が行っている手洗い手順の模範動作を表す模範手洗い画像と、作業者の手指の動作が、模範手洗い画像が表す模範動作と合致するための合致条件を満たしているか否かの判断の結果と、が同一画面上に表示される。このため、作業者に、自身の手指の動作と、作業者が行っている手洗い手順の模範動作と、前記判断の結果と、を同時に視認させることができる。これにより、作業者に手洗い手順の模範動作を正しく遂行させることができる。
【００２０】
上記態様において、前記処理部は、前記作業者の手指の動作が前記合致条件を満たしていないと判断した場合、前記判断の結果として、前記作業者の手指の動作が前記合致条件を満たす動作となるように指図する指図情報を表示させてもよい。
【００２１】
本態様によれば、作業者の手指の動作が合致条件を満たしていない場合、作業者の手指を撮像した手指画像と、作業者が行っている手洗い手順の模範動作を表す模範手洗い画像と、作業者の手指の動作が合致条件を満たす動作となるように指図する指図情報と、が同一画面上に表示される。このため、作業者に、自身の手指の動作と、作業者が行っている手洗い手順の模範動作と、前記指図情報と、を同時に視認させることができる。これにより、手洗い手順の模範動作と合致するような手指の動作を、作業者に正しく遂行させることができる。
【００２２】
上記態様において、前記模範手洗い画像は、半透明であってもよい。
【００２３】
本態様によれば、半透明の模範手洗い画像が表示されるので、手指画像と模範手洗い画像とが重なるように表示されたとしても、作業者は、模範手洗い画像が表す模範動作を容易に把握することができる。これにより、作業者に、各手洗い手順の模範動作をより正しく遂行させることができる。
【００２４】
上記態様において、前記模範手洗い画像は、デフォルメした手指の画像を用いて表されてもよい。
【００２５】
本態様によれば、デフォルメした手指の画像を用いて表された模範手洗い画像が表示されるので、作業者は、手指画像が表す自身の手指の動作と模範手洗い画像が表す模範動作とを容易に識別することができる。これにより、作業者に、各手洗い手順の模範動作をより正しく遂行させることができる。
【００２６】
上記態様において、前記処理部は、前記手指画像をデフォルメした手指の画像に加工してもよい。
【００２７】
本態様によれば、デフォルメした手指の画像によって表された手指画像が表示されるので、作業者に、自身の手指を撮影した画像がそのまま画面に表示されることによる不快感を与えることなく、各手洗い手順の模範動作を励行させることができる。
【００２８】
上記態様において、前記合致条件は、前記手指画像と前記模範手洗い画像とで重なっている手指の領域の面積が所定の基準よりも大きいことであってもよい。
【００２９】
本態様によれば、手指画像と模範手洗い画像とで重なっている手指の領域の面積が所定の基準よりも大きい場合に、手指画像から認識した作業者の手指の動作が、模範手洗い画像が表す模範動作と合致するための合致条件を満たしていると判断される。
【００３０】
このため、作業者は、手指画像と模範手洗い画像とで重なっている手指の領域の面積が所定の基準よりも大きくなるように自身の手指を動作させることで、合致条件を満たすような手指の動作を遂行することができる。
【００３１】
上記態様において、前記合致条件は、前記手指画像から認識した手指の動作に関連する所定の特徴量と、前記模範手洗い画像が表す模範動作に関連する前記所定の特徴量と、が所定の一致条件を満たすことであってもよい。
【００３２】
本態様によれば、手指画像から認識した手指の動作に関連する所定の特徴量と、模範手洗い画像が表す模範動作に関連する前記所定の特徴量と、が所定の一致条件を満たす場合に、手指画像から認識した作業者の手指の動作が、模範手洗い画像が表す模範動作と合致するための合致条件を満たしていると判断される。
【００３３】
このため、作業者は、手指画像から認識される手指の動作に関連する所定の特徴量と、模範手洗い画像が表す模範動作に関連する前記所定の特徴量とが所定の一致条件を満たすように自身の手指を動作させることで、合致条件を満たすような手指の動作を遂行することができる。
【００３４】
上記態様において、前記処理部は、前記模範手洗い画像の大きさと前記手指画像の大きさとが一致するように、前記模範手洗い画像及び前記手指画像の少なくとも一方の大きさを変更してもよい。
【００３５】
本態様によれば、同じ大きさの手指画像と模範手洗い画像とが一画面上に表示される。このため、手指画像と模範手洗い画像とが同じ大きさでない場合よりも、手指画像が表す作業者の手指の動作と模範手洗い画像が表す模範動作との一致点及び相違点をより正しく作業者に把握させることができる。これにより、作業者に、各手洗い手順の模範動作をより正しく遂行させることができる。
【００３６】
上記態様において、各手洗い手順を達成するための達成条件が、前記合致条件を満たしていると判断された前記作業者の手指の動作の回数又は時間に基づき予め定められ、前記処理部は、更に、前記回数又は時間が前記達成条件を満たしているか否かを判断し、前記回数又は時間が前記達成条件を満たしていると判断するまでの間、次に行う手洗い手順の模範動作を表す模範手洗い画像を表示させなくてもよい。
【００３７】
本態様によれば、合致条件を満たしていると判断された作業者の手指の動作の回数又は時間が達成条件を満たすまで、次に行う手洗い手順の模範動作を表す模範手洗い画像が表示されない。このため、現在の手洗い手順を達成するための達成条件を満たすまで、現在の手洗い手順の模範動作と合致するための合致条件を満たすような手指の動作を確実に作業者に行わせることができる。これにより、作業者に、各手洗い手順の模範動作を確実に遂行させることができる。
【００３８】
上記態様において、前記手洗い補助システムが、記憶部を更に備え、前記処理部は、更に、前記作業者の識別情報と、前記作業者の手指の動作が前記合致条件を満たしていると判断するまでに要した合致時間と、を対応付けて前記記憶部に記憶してもよい。
【００３９】
本態様によれば、作業者の識別情報と、作業者の手指の動作が合致条件を満たしていると判断されるまでに要した合致時間と、が対応付けて記憶部に記憶される。このため、記憶部において、作業者の識別情報と対応付けられている合致時間を参照することで、当該識別情報に対応する作業者が、当該合致条件を満たすような手指の動作を得意とするか苦手とするかを把握することができる。
【００４０】
上記態様において、前記処理部は、前記作業者の識別情報と対応付けて前記記憶部に記憶されている前記合致時間が所定の第一時間よりも長い場合、前記指図情報を強調して表示させてもよい。
【００４１】
本態様によれば、作業者の手指の動作が合致条件を満たすまでに第一時間よりも長い時間を要すると考えられる場合、前記指図情報が強調して表示される。このため、作業者は、当該強調して表示された指図情報を視認して、より早く、自身の手指を合致条件を満たすように動作させることができる。
【００４２】
上記態様において、音声を出力する音声出力部を更に備え、前記処理部は、前記作業者の識別情報と対応付けて前記記憶部に記憶されている前記合致時間が所定の第一時間よりも長い場合、更に、前記作業者の手指の動作が前記合致条件を満たす動作となるように案内する案内音声を前記音声出力部に出力させてもよい。
【００４３】
本態様によれば、作業者の手指の動作が合致条件を満たすまでに第一時間よりも長い時間を要すると考えられる場合、作業者の手指の動作が合致条件を満たす動作となるように案内する案内音声が出力される。このため、作業者は、当該案内音声を聞き、より早く、自身の手指を合致条件を満たすように動作させることができる。
【００４４】
上記態様において、前記処理部は、前記作業者の識別情報と対応付けて前記記憶部に記憶されている前記合致時間が所定の第一時間よりも長い場合、前記模範手洗い画像を、当該模範手洗い画像が表す模範動作を異なる視線で見たときに視認される画像に変更してもよい。
【００４５】
本態様によれば、作業者の手指の動作が合致条件を満たすまでに第一時間よりも長い時間を要すると考えられる場合、模範手洗い画像が、当該模範手洗い画像が表す模範動作を異なる視線で見たときに視認される画像に変更される。このため、作業者は、当該変更後の模範手洗い画像が表す模範動作を視認して、より早く、自身の手指を合致条件を満たすように動作させることができる。
【００４６】
上記態様において、洗剤を吐出する洗剤吐出部を更に備え、前記処理部は、前記作業者の識別情報と対応付けて前記記憶部に記憶されている前記合致時間が所定の第一時間よりも長い場合、更に、前記洗剤を吐出させるか否かを尋ねる第一メッセージを前記表示部に表示させ、前記第一メッセージの表示後、前記洗剤吐出部によって前記洗剤が吐出された場合、前記模範手洗い画像を、前記一以上の手洗い手順のうち、最初に行う手洗い手順の模範動作を表す模範手洗い画像に変更してもよい。
【００４７】
本態様によれば、作業者の手指の動作が合致条件を満たすまでに第一時間よりも長い時間を要すると考えられる場合、洗剤を吐出させるか否かを尋ねる第一メッセージが表示され、第一メッセージの表示後、洗剤吐出部によって洗剤が吐出された場合、模範手洗い画像が最初に行う手洗い手順の模範動作を表す模範手洗い画像に変更される。
【００４８】
このため、作業者が、第一時間内に合致条件を満たす手指の動作を行わず、誤った手指の動作を遂行すると考えられる場合に、作業者に第一メッセージを視認させることができる。これにより、作業者に、洗剤吐出部を用いて洗剤を吐出させ、最初に行う手洗い手順から、各手洗い手順の模範動作に合致するような手指の動作をやり直させることができる。
【００４９】
上記態様において、音声を取得する音声入力部を更に備え、前記処理部は、前記作業者の識別情報と対応付けて前記記憶部に記憶されている前記合致時間が所定の第一時間よりも長い場合、更に、前記手洗い作業の管理者を呼び出すか否かを尋ねる第二メッセージを前記表示部に表示させ、前記第二メッセージの表示後、前記音声入力部によって前記管理者を呼び出すことを示す音声が取得された場合、前記管理者を呼び出すための所定の処理を実行してもよい。
【００５０】
本態様によれば、作業者の手指の動作が合致条件を満たすまでに第一時間よりも長い時間を要すると考えられる場合、管理者を呼び出すか否かを尋ねる第二メッセージが表示され、第二メッセージの表示後、音声入力部によって管理者を呼び出すことを示す音声が取得された場合、管理者を呼び出すための所定の処理が行われる。
【００５１】
このため、作業者が、第一時間内に合致条件を満たす手指の動作を行わず、誤った手指の動作を遂行すると考えられる場合に、作業者に第二メッセージを視認させることができる。これにより、作業者に、管理者を呼び出すことを示す音声を発話させ、管理者を呼び出させることができる。その結果、管理者による指導の下で、作業者に各手洗い手順の模範動作に合致するような手指の動作を速やかに遂行させることができる。
【００５２】
上記態様において、前記処理部は、更に、前記回数又は時間が前記達成条件をどの程度満たしているかを表す達成度情報を前記同一画面上に表示させてもよい。
【００５３】
本態様によれば、合致条件を満たしていると判断された手指の動作の回数又は時間が、達成条件をどの程度満たしているかを表す達成度情報が表示される。このため、作業者は、当該達成度情報を視認することで、達成条件に対応する手洗い手順の進捗を把握することができる。
【００５４】
上記態様において、前記手洗い補助システムが、記憶部を更に備え、前記処理部は、更に、前記作業者の識別情報と、前記合致条件を満たしていると判断された前記作業者の手指の動作の回数又は時間が前記達成条件を満たしていると判断するまでに要した達成時間と、を対応付けて前記記憶部に記憶してもよい。
【００５５】
本態様によれば、作業者の識別情報と、合致条件を満たしていると判断された作業者の手指の動作の回数又は時間が、達成条件を満たしていると判断されるまでに要した達成時間と、が対応付けて記憶部に記憶される。このため、記憶部において、作業者の識別情報と対応付けられている達成時間を参照することで、当該識別情報に対応する作業者が、当該達成時間に対応する達成条件を満たす必要がある手洗い手順を、得意とするか苦手とするかを把握することができる。
【００５６】
上記態様において、前記処理部は、前記作業者の識別情報と対応付けて前記記憶部に記憶されている前記達成時間が所定の第二時間よりも短い場合、前記回数又は時間が前記達成条件を満たしているか否かを判断することに代えて、前記回数又は時間が、前記達成条件よりも厳しい代替条件を満たしているか否かを判断してもよい。
【００５７】
本態様によれば、合致条件を満たしていると判断された作業者の手指の動作の回数又は時間が達成条件を満たすまでに第二時間よりも短い時間しか要さない場合、前記回数又は時間が、当該達成条件よりも厳しい代替条件を満たしているか否かが判断される。
【００５８】
これにより、当該達成条件よりも厳しい代替条件を満たすために、合致条件を満たしていると判断されるような手指の動作を、作業者により多く又は長く行わせることができる。その結果、達成条件を満たすまでに第二時間よりも短い時間しか要さない、作業者が雑に行うと考えられる手洗い手順の模範動作に合致する手指の動作を、作業者に丁寧に行わせることができる。
【００５９】
上記態様において、前記処理部は、前記作業者の識別情報と対応付けて前記記憶部に記憶されている前記達成時間が所定の第二時間よりも短い場合、前記達成度情報を所定時間遅らせて表示させてもよい。
【００６０】
本態様によれば、合致条件を満たしていると判断された作業者の手指の動作の回数又は時間が達成条件を満たすまでに第二時間よりも短い時間しか要さない場合、達成度情報が、所定時間遅れて表示される。
【００６１】
これにより、作業者に、手洗い作業の進捗が本来よりも遅れているように感じさせることができる。その結果、達成条件を満たすまでに第二時間よりも短い時間しか要さない、作業者が雑に行うと考えられる手洗い手順の模範動作に合致する手指の動作を、作業者に丁寧に行わせることができる。
【００６２】
また、本開示の他の態様に係る手洗い補助方法は、手洗い作業において一以上の手洗い手順の模範動作を作業者に励行させる手洗い補助システムのコンピュータが実行する手洗い補助方法であって、前記手洗い補助システムのコンピュータが、前記手洗い作業中の前記作業者の手指を撮像部に撮像させ、前記撮像された手指画像と、前記一以上の手洗い手順のうち、前記作業者が行っている手洗い手順の模範動作を表す模範手洗い画像と、を表示部の同一画面上に表示させる。
【００６３】
また、本開示の他の態様に係る手洗い補助装置は、手洗い作業において一以上の手洗い手順の模範動作を作業者に励行させる手洗い補助装置であって、表示部と、前記手洗い作業中の前記作業者の手指を撮像する撮像部と、前記撮像部によって撮像された手指画像と、前記一以上の手洗い手順のうち、前記作業者が行っている手洗い手順の模範動作を表す模範手洗い画像と、を前記表示部の同一画面上に表示させる処理部と、を備える。
【００６４】
これらの態様によれば、作業者の手指を撮像した手指画像と、作業者が行っている手洗い手順の模範動作を表す模範手洗い画像と、が同一画面上に表示される。このため、手洗い作業中の作業者に、自身の手指の動作と、作業者が行っている手洗い手順の模範動作と、を同時に視認させることができる。これにより、予め指導することなく、一以上の手洗い手順の模範動作を作業者に行わせることができる。その結果、作業者に正しい動作で手洗い作業を遂行させることができる。
【００６５】
（システム構成）
図１は、本開示の実施形態に係る手洗い補助システム１００の概略構成図である。図１に示すように、手洗い補助システム１００は、手洗い作業において一以上の手洗い手順の模範的な手洗い動作（以降、模範動作）を作業者に励行させるシステムである。例えば、一以上の手洗い手順には、１）掌を洗う手順、２）右手の甲を洗う手順、３）左手の甲を洗う手順、４）両手の指の間を洗う手順、５）右手の親指を洗う手順、６）左手の親指を洗う手順、７）右手の爪先を洗う手順、８）左手の爪先を洗う手順、９）右手の手首を洗う手順、及び、１０）左の手首を洗う手順が含まれる。
【００６６】
具体的には、手洗い補助システム１００は、図１に示すように、洗浄装置１（手洗い補助装置の一例）、サーバ２及びデータベース３（記憶部の一例）を備えている。洗浄装置１、サーバ２及びデータベース３は、ネットワーク９を介して相互に通信可能に接続されている。ネットワーク９には、インターネット通信網、携帯電話通信網及び公衆電話回線網が含まれる。
【００６７】
洗浄装置１は、吐水部１６、洗剤吐出部１５、表示部１３、操作部１４、音声出力部１７、音声入力部１８、撮像部１２、通信部１１及び処理部１０を備えている。処理部１０は、吐水部１６、洗剤吐出部１５、表示部１３、操作部１４、音声出力部１７、音声入力部１８、撮像部１２及び通信部１１と互いに無線通信又は有線通信可能となっている。
【００６８】
図２Ａは、洗浄装置１の概略正面図である。図２Ｂは、洗浄装置１の概略右側面図である。図２Ａ及び図２Ｂに示すように、吐水部１６は、一般的な吐水装置によって構成され、流し台１９２の上面の後端部における左右方向の中央部に設けられている。吐水部１６は、自身の下方に差し出された作業者の手を検知するセンサを備え、当該センサが作業者の手を検知している間、下方に水を吐出する。尚、吐水部１６は、これに限らず、上記センサを備えずに、蛇口をひねる等の所定の操作を作業者が行ったときに、水を吐水する構成であってもよい。
【００６９】
洗剤吐出部１５は、一般的な洗剤吐出装置によって構成され、流し台１９２の上面の後端部において、吐水部１６の左側に設けられている。洗剤吐出部１５は、自身の下方に差し出された作業者の手を検知するセンサを備え、当該センサが作業者の手を検知すると、下方に所定量の洗剤を吐出する。尚、洗剤吐出部１５は、これに限らず、上記センサを備えずに、ノズルを押下する等の所定操作を作業者が行ったときに、所定量の洗剤を吐出させる構成であってもよい。
【００７０】
表示部１３、操作部１４、音声出力部１７及び音声入力部１８は、タブレット装置によって構成され、流し台１９２の上面の後端部において、吐水部１６の右側に配置されている。表示部１３は、タブレット装置が備える液晶ディスプレイによって構成され、作業者に対して手洗い作業に関連する情報を表示する。操作部１４は、タブレット装置が備えるタッチパネルによって構成され、作業者による各種操作を受け付ける。音声出力部１７は、タブレット装置が備えるスピーカーによって構成され、所定の音声を出力する。音声入力部１８は、タブレット装置が備えるマイクロフォンによって構成され、自身の周辺の音声を取得する。
【００７１】
尚、表示部１３、操作部１４、音声出力部１７及び音声入力部１８は、これに限らず、其々が、液晶ディスプレイ等の表示装置、ハードキーを備えた操作装置、スピーカー及びマイクロフォンによって個別に構成されてもよい。また、吐水部１６、洗剤吐出部１５、表示部１３、操作部１４、音声出力部１７、音声入力部１８の配設位置は、図２Ａ及び図２Ｂに示した配置位置とは異なっていてもよい。
【００７２】
撮像部１２は、カメラによって構成され、洗浄装置１が配置された部屋の天井等、流し台１９２及びその周辺を上方から撮影可能な位置に設けられている。撮像部１２は、流し台１９２及び流し台１９２の周辺を上方から撮影し、当該撮影によって得られた（撮像した）画像（以降、撮像画像）を処理部１０に出力する。
【００７３】
通信部１１は、ネットワーク９（図１）を介して外部装置と通信を行うための各種通信回路によって構成され、洗い台１９２と鏡１９３との間に設けられた装置本体１９１内に内蔵されている。通信部１１は、処理部１０による制御の下、図１に示すネットワーク９を介してサーバ２及びデータベース３と通信を行う。尚、通信部１１は、上記に限らず、吐水部１６、洗剤吐出部１５、表示部１３、操作部１４、音声出力部１７、音声入力部１８及び撮像部１２を構成する装置の何れかが備える通信回路によって構成してもよい。
【００７４】
処理部１０は、ＣＰＵ等のプロセッサ、ＲＡＭやＲＯＭ等のメモリ及び時間を計時するタイマー回路等を備えたマイクロコンピュータによって構成され、装置本体１９１内に内蔵されている。処理部１０は、メモリに記憶された制御プログラムをプロセッサに実行させることによって、洗浄装置１の全体制御を司る。尚、処理部１０は、上記に限らず、吐水部１６、洗剤吐出部１５、表示部１３、操作部１４、音声出力部１７、音声入力部１８及び撮像部１２を構成する装置の何れかが備えるマイクロコンピュータによって構成してもよい。
【００７５】
サーバ２は、例えば、一以上のコンピュータを含むクラウドサーバによって構成されている。サーバ２を構成するクラウドサーバは、図１に示すように、制御部２０と、通信部２１と、記憶部２２と、を備えている。
【００７６】
制御部２０は、ＣＰＵ等のプロセッサ、ＲＡＭやＲＯＭ等のメモリ及び時間を計時するタイマー回路等を備えたコンピュータによって構成されている。制御部２０は、メモリに記憶された制御プログラムをプロセッサに実行させることによって、サーバ２の動作を制御する。
【００７７】
通信部２１は、ネットワーク９を介して外部の装置と通信を行うための各種通信回路によって構成されている。通信部２１は、制御部２０による制御の下、指定された情報を、ネットワーク９を介して洗浄装置１及びデータベース３等の外部装置に送信する。また、通信部２１は、ネットワーク９を介して外部装置から受信した情報を、制御部２０へ出力する。
【００７８】
記憶部２２は、メモリ、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）等の記憶装置によって構成されている。記憶部２２には、サーバ２の動作に必要な情報が予め記憶されている。また、記憶部２２には、制御部２０による制御の下、外部装置から受信した情報等が記憶される。
【００７９】
データベース３は、ＨＤＤ（Ｈａｒｄ  Ｄｉｓｋ  Ｄｒｉｖｅ）等の大容量の記憶装置によって構成されている。また、データベース３は、ネットワーク９を介して外部の装置と通信を行うための各種通信回路を備えている。データベース３は、手洗い補助システム１００において使用する各種データを記憶する。データベース３に記憶されている各種データは、ネットワーク９及び前記通信回路を介して、サーバ２及び洗浄装置１等の外部装置からアクセス可能となっている。
【００８０】
例えば、データベース３は、データの記憶領域の一部を、作業者テーブルＴ１及び洗浄実績テーブルＴ２として使用する。作業者テーブルＴ１には、作業者に関する情報（以降、作業者情報）が予め記憶されている。
【００８１】
図３は、作業者テーブルＴ１の一例を示す図である。例えば、図３に示すように、作業者テーブルＴ１には、作業者情報として、作業者を識別するための作業者ＩＤ（例えば、Ａ００１）、作業者の氏名（例えば、〇田△郎）、作業者の年齢（例えば、４０）、作業者の性別（例えば、男）、作業者が主として作業する作業場（例えば、５Ｆ）、作業者を表す画像データ（以降、認証画像）（例えば、ｉｍｇ１）が予め記憶されている。
【００８２】
洗浄実績テーブルＴ２には、作業者が行った手洗い作業の実績に関する情報（以降、洗浄実績情報）が、ネットワーク９を介して記憶される。図４は、洗浄実績テーブルＴ２の一例を示す図である。例えば、図４に示すように、洗浄実績テーブルＴ２には、洗浄実績情報として、作業者が手洗い作業を開始した洗浄開始日時（例えば、２０１７／１２／２１  ８：２０）、作業者を識別するための作業者ＩＤ（例えば、Ａ００１）、作業者が手洗い作業を完遂するのに要した時間である総手洗い時間（例えば、Ｔ０１）が記憶される。
【００８３】
また、洗浄実績テーブルＴ２には、洗浄実績情報として、作業者が手洗い作業で行った各手洗い手順についての合致時間（例えば、ＴＡ１１）及び達成時間（例えば、ＴＰ１１）が記憶される。
【００８４】
各手洗い手順の合致時間とは、例えば、作業者が、当該各手洗い手順の遂行時に、当該各手洗い手順の模範動作と合致するための合致条件を満たす手指の動作を行うのに要した時間の代表値を示す。代表値とは、例えば、平均値、最大値又は最小値を示す。または、合致時間は、合致条件を満たす手指の動作を最初に行うのに要した時間であってもよい。。合致条件の詳細については後述する。
【００８５】
各手洗い手順の達成時間とは、作業者が、当該各手洗い手順を開始した時点から、当該各手洗い手順を達成（完遂）するための達成条件を満たす時点までに要した時間を示す。尚、各手洗い手順を達成するための達成条件は、合致条件を満たしている作業者の手指の動作の回数又は時間に基づき予め定められている。
【００８６】
例えば、上記掌を洗う手順の達成条件として「１０回」が予め定められているものとする。この場合、作業者が、上記掌を洗う手順の模範動作に合致するための合致条件を満たす手指の動作を「１０回」行ったときに、上記掌を洗う手順を達成するための達成条件が満たされる。また、上記掌を洗う手順の達成条件として「２０秒」が予め定められているものとする。この場合、作業者が、上記掌を洗う手順の模範動作に合致するための合致条件を満たす手指の動作を「２０秒」行ったときに、上記掌を洗う手順を達成するための達成条件が満たされる。
【００８７】
（作業者の手洗い作業を補助する動作）
次に、手洗い補助システム１００における作業者の手洗い作業を補助する動作について説明する。図５は、作業者の手洗い作業を補助する動作の一例を示すフローチャートである。図５に示すように、先ず、処理部１０は、撮像部１２によって撮像された撮像画像を用いて、流し台１９２の周辺に作業者が存在するか否かを認識する（ステップＳ１）。
【００８８】
具体的には、ステップＳ１において、処理部１０は、公知の画像認識処理を実行することにより、撮像画像に人物を表す画像が含まれていると判断した場合に、流し台１９２の周辺に作業者が存在すると認識する（ステップＳ１；ＹＥＳ）。この場合、処理部１０は、当該認識した作業者の認証を行う（ステップＳ２）。
【００８９】
具体的には、ステップＳ２において、処理部１０は、撮像画像に含まれている人物を表す画像を、前記認識した作業者を表す画像（以降、作業者画像）として取得する。処理部１０は、当該取得した作業者画像と、前記認識した作業者の認証を要求する認証要求情報と、を通信部１１を介してサーバ２に送信する。サーバ２では、通信部２１が作業者画像と認証要求情報とを受信すると、制御部２０は所定の認証処理を行う。
【００９０】
具体的には、認証処理において、制御部２０は、通信部２１を介して作業者テーブルＴ１を参照する。制御部２０は、公知の画像認識処理を実行することにより、通信部２１が受信した作業者画像から認識した作業者の特徴量と、作業者テーブルＴ１に含まれる各認証画像から認識した各作業者（以降、許可作業者）の特徴量と、を比較する。
【００９１】
制御部２０は、当該比較の結果、前記認識した作業者の特徴量が、ある特定の認証画像から認識した許可作業者の特徴量と略一致した場合、前記認識した作業者は、当該特定の認証画像に対応する許可作業者であると判断する（ステップＳ２；ＹＥＳ）。尚、作業者の特徴量が許可作業者の特徴量と略一致するとは、作業者の特徴量が許可作業者の特徴量のうちの所定の割合（例えば、９割）以上の特徴量と一致することを示す。
【００９２】
この場合（ステップＳ２；ＹＥＳ）、制御部２０は、作業者テーブルＴ１において当該特定の認証画像に対応付けられている作業者ＩＤを取得する。そして、制御部２０は、通信部２１を介して洗浄実績テーブルＴ２を参照し、当該取得した作業者ＩＤを含む全てのレコードを洗浄装置１に返信する。通信部１１が当該返信された全てのレコードを受信すると、処理部１０は、当該受信された全てのレコードを、ステップＳ１で認識された作業者の洗浄実績情報として取得する（ステップＳ３）。
【００９３】
一方、処理部１０が、ステップＳ１において、撮像画像に人物を表す画像が含まれていないと判断した場合、流し台１９２の周辺に作業者が存在しないと認識し（ステップＳ１；ＮＯ）、処理をステップＳ１に戻す。その後は、ステップＳ１以降の処理が行われる。
【００９４】
また、ステップＳ１の後、制御部２０が、ステップＳ１で認識された作業者が許可作業者ではないと判断した場合（ステップＳ２；ＮＯ）、当該判断結果を示す情報を洗浄装置１に返信する。これにより、通信部１１が当該判断結果を示す情報を受信すると、処理部１０は、ステップＳ１で認識された作業者が許可作業者ではないと判断し、処理をステップＳ１に戻す。その後は、ステップＳ１以降の処理が行われる。
【００９５】
尚、ステップＳ２において、処理部１０が、認証要求情報を送信せず、通信部１１を介して作業者テーブルＴ１を参照し、制御部２０が行う認証処理と同様の処理を行うようにしてもよい。そして、ステップＳ１で認識した作業者が許可作業者であると判断した場合には、ステップＳ３において、処理部１０が、通信部１１を介して洗浄実績テーブルＴ２を参照し、当該作業者の作業者ＩＤを含む全てのレコードを取得するようにしてもよい。
【００９６】
図６は、模範手洗い画像ＤＭの表示例を示す図である。ステップＳ３の後、洗剤吐出部１５の下方に作業者の手が差し出され、洗剤吐出部１５が所定量の洗剤を吐出したとする（ステップＳ４；ＹＥＳ）。この場合、処理部１０は、作業者が手洗い作業を開始したと判断し、図６に示すように、手洗い作業においてｎ番目に行う手洗い手順の模範動作を表す模範手洗い画像ＤＭを表示部１３によって手洗い画面Ｗ（同一画面の一例）上に表示させる（ステップＳ５）。
【００９７】
尚、ｎの初期値は１に設定されている。ここでは、上述の１０個の手洗い手順に従って、作業者に手洗い作業を行わせるものとする。つまり、ｎ＝１のときのステップＳ５では、１番目に行う掌を洗う手順の模範動作を表す模範手洗い画像ＤＭが表示される。ｎ＝２のときのステップＳ５では、２番目に行う右手の甲を洗う掌を洗う手順の模範動作を表す模範手洗い画像ＤＭが表示される。同様にして、ｎ＝３〜９のときのステップＳ５では、３〜９番目に行う手順の模範動作を表す模範手洗い画像ＤＭが表示される。そして、ｎ＝１０のときのステップＳ５では、１０番目に行う左の手首を洗う手順の模範動作を表す模範手洗い画像ＤＭが表示される。
【００９８】
また、模範手洗い画像ＤＭは、デフォルメした手指の画像を用いて表されている。模範手洗い画像ＤＭは、動画及び静止画の何れであってもよい。処理部１０は、ステップＳ５において、模範手洗い画像ＤＭの左右方向の中央位置が、手洗い画面Ｗの左右方向の中央位置と一致するようにして、模範手洗い画像ＤＭを表示する。ただし、これに限らず、処理部１０は、模範手洗い画像ＤＭを手洗い画面Ｗ上の任意の位置に表示させるようにしてもよい。
【００９９】
次に、処理部１０は、作業者の手指を表す画像（以降、手指画像）を、表示部１３によって手洗い画面Ｗ上に表示させる（ステップＳ６）。具体的には、処理部１０は、ステップＳ６において、公知の画像認識処理を実行することにより、撮像画像から認識した作業者の手指の画像を手指画像として取得する。また、処理部１０は、撮像画像における吐水部１６を表す画像の左右方向の中央位置を基点とし、撮像画像における作業者の手指を表す画像の左右方向の中央位置が、前記基点から離間している方向（以降、離間方向）及び距離（以降、離間距離）を把握する。
【０１００】
そして、処理部１０は、手洗い画面Ｗに表示中の模範手洗い画像ＤＭの大きさと、手指画像の大きさと、が一致するように手指画像の大きさを変更する。ここでいう各画像の大きさとは、例えば、各画像における手首の位置と、各画像における当該手首の位置から最も上下方向に離間した位置にある位置（例えば、中指の先端）と、の間の距離である。
【０１０１】
図７は、模範手洗い画像ＤＭ、手指画像ＤＦ及び指図情報ＤＧの表示例を示す図である。そして、処理部１０は、図７に示すように、大きさを変更した後の手指画像ＤＦを表示部１３によって手洗い画面Ｗ上に表示させる。このとき、処理部１０は、前記把握した離間距離を、手指画像ＤＦの大きさを変更したときと同じ拡大率又は縮小率で変更する。そして、処理部１０は、前記変更後の手指画像ＤＦの左右方向の中央位置が、手洗い画面Ｗの左右方向の中央位置から、前記把握した離間方向に当該変更後の離間距離だけ離れた位置と一致するようにして、前記変更後の手指画像ＤＦを表示する。
【０１０２】
これにより、同じ大きさの手指画像ＤＦと模範手洗い画像ＤＭとが同一の手洗い画面Ｗ上に表示される。このため、手指画像ＤＦと模範手洗い画像ＤＭとが同じ大きさでない場合よりも、手指画像ＤＦが表す自身の手指の動作と模範手洗い画像ＤＭが表す模範動作との一致点及び相違点をより正しく作業者に把握させることができる。また、デフォルメした手指の画像を用いて表された模範手洗い画像ＤＭが表示されるので、作業者は、手指画像ＤＦが表す自身の手指の動作と模範手洗い画像ＤＭが表す模範動作とを容易に識別することができる。これにより、作業者に、各手洗い手順の模範動作をより正しく遂行させることができる。
【０１０３】
尚、上記に限らず、処理部１０が、模範手洗い画像ＤＭの大きさと手指画像ＤＦの大きさとが一致するように、模範手洗い画像ＤＭの大きさを変更するようにしてもよい。又は、処理部１０が、模範手洗い画像ＤＭの大きさ及び手指画像ＤＦの大きさを変更しないようにしてもよい。また、処理部１０が、手指画像ＤＦを手洗い画面Ｗ上の任意の位置に表示させるようにしてもよい。
【０１０４】
次に、処理部１０は、ステップＳ６で手洗い画面Ｗ上に表示された手指画像ＤＦから認識された作業者の手指の動作が、模範手洗い画像ＤＭが表すｎ番目の手洗い手順の模範動作と合致するための合致条件を満たしているか否かを判断する（ステップＳ７）。
【０１０５】
例えば、合致条件は、手指画像ＤＦと模範手洗い画像ＤＭとで重なっている手指の領域の面積が所定の基準（例えば、模範手洗い画像ＤＭにおける手指の領域の面積の８０％）よりも大きいという条件に定められている。
【０１０６】
この場合、ステップＳ７において、処理部１０は、手指画像ＤＦと模範手洗い画像ＤＭとで重なっている手指の領域の面積が基準よりも大きい場合に、作業者の手指の動作が合致条件を満たしていると判断する。したがって、作業者は、手指画像ＤＦと模範手洗い画像ＤＭとで重なっている手指の領域の面積が基準よりも大きくなるように自身の手指を動作させることで、合致条件を満たすような手指の動作を遂行することができる。
【０１０７】
又は、合致条件は、手指画像ＤＦから認識される手指の動作に関連する所定の特徴量と、模範手洗い画像ＤＭが表す模範動作に関連する前記所定の特徴量とが、所定の割合（例えば、９割）以上一致するという一致条件を満たすことに定められていてもよい。手指の動作に関連する所定の特徴量とは、例えば、右手の位置、右手が移動した方向及びその移動距離、左手の位置、左手が移動した方向及びその移動距離等である。
【０１０８】
この場合、ステップＳ７において、処理部１０は、手指画像ＤＦから認識される手指の動作に関連する所定の特徴量と、模範手洗い画像ＤＭが表す模範動作に関連する前記所定の特徴量と、が所定の割合以上一致する場合に、作業者の手指の動作が合致条件を満たしていると判断する。したがって、作業者は、手指画像ＤＦから認識される手指の動作に関連する所定の特徴量と、模範手洗い画像ＤＭが表す模範動作に関連する前記所定の特徴量とが前記一致条件を満たすように自身の手指を動作させることで、合致条件を満たすような手指の動作を遂行することができる。
【０１０９】
ステップＳ７において、処理部１０は、作業者の手指の動作が、模範手洗い画像ＤＭが表す模範動作と合致するための合致条件を満たしていないと判断したとする（ステップＳ７；ＮＯ）。この場合、処理部１０は、作業者の手指の動作が合致条件を満たす動作となるように指図する指図情報ＤＧを、表示部１３によって手洗い画面Ｗ上に表示させる（ステップＳ８）。
【０１１０】
例えば、図７に示すように、ステップＳ８において、処理部１０は、作業者の手指の動作が、模範手洗い画像ＤＭが表す模範動作と合致するための合致条件を満たす動作となるように、両手を左方向に移動させることを示す指図情報ＤＧを、手洗い画面Ｗ上に表示させる。これにより、作業者に、図７に示す模範手洗い画像ＤＭ及び指図情報ＤＧを視認させ、模範手洗い画像ＤＭが表す模範動作である両手の掌を合わせる動作を遂行させることができる。
【０１１１】
図８は、模範手洗い画像ＤＭ、手指画像ＤＦ及び指図情報ＤＧの他の表示例を示す図である。ここで、作業者が両手の掌を合わせる動作を遂行する一方で、模範手洗い画像ＤＭが上記掌を洗う手順の模範動作を表す動画であり、図８に示すように、模範手洗い画像ＤＭにおける左手を表す画像が図７に示す左手の位置よりも上方に移動し、右手を表す画像が図７に示す右手の位置よりも下方に移動したとする。
【０１１２】
この場合、ステップＳ８において、処理部１０は、図８に示すように、作業者の手指の動作が合致条件を満たす動作となるように、左手を上方向に移動させ、右手を下方向に移動させることを示す指図情報ＤＧを手洗い画面Ｗ上に表示させる。
【０１１３】
一方、ステップＳ７において、処理部１０が、作業者の手指の動作が合致条件を満たしていると判断したとする（ステップＳ７；ＹＥＳ）。この場合、処理部１０は、当該合致条件を満たした実績に関連する合致実績情報を洗浄実績テーブルＴ２に記憶する（ステップＳ９）。ここで、合致実績情報には、作業者の作業者ＩＤ、洗浄開始日時、及びｎ番目の手洗い手順の合致時間が含まれる。
【０１１４】
具体的には、ステップＳ９において、処理部１０は、合致実績情報と合致実績情報の記憶を要求する第一要求情報とを通信部１１を介してサーバ２に送信する。より具体的には、処理部１０は、ステップＳ５で１番目の手洗い手順の模範動作を表す模範手洗い画像ＤＭを手洗い画面Ｗに表示させた日時を洗浄開始日時とする合致実績情報を生成する。更に、処理部１０は、ステップＳ３で取得した洗浄実績情報に含まれる当該作業者の作業者ＩＤを、前記生成した合致実績情報に含める。
【０１１５】
また、処理部１０は、ステップＳ５でｎ番目の手洗い手順の模範動作を表す模範手洗い画像ＤＭを手洗い画面Ｗに表示させた時点から、直近のステップＳ７で合致条件を満たしていると判断した時点までの経過時間を、当該経過時間の間に行われたステップＳ７の回数で除算する。これにより、処理部１０は、作業者がｎ番目の手洗い手順の模範動作と合致するための合致条件を満たす手指の動作を行うのに要した時間の平均値を算出する。そして、処理部１０は、当該算出した平均値をｎ番目の手洗い手順の合致時間として、前記生成した合致実績情報に含め、当該合致実績情報と第一要求情報とを通信部１１を介してサーバ２に送信する。
【０１１６】
これにより、サーバ２において、通信部２１が合致実績情報と第一要求情報とを受信したとする。この場合、制御部２０は、通信部２１を介して洗浄実績テーブルＴ２を参照し、通信部２１が受信した合致実績情報に含まれる洗浄開始日時と、通信部２１が受信した合致実績情報に含まれる作業者ＩＤと、が対応付けて洗浄実績テーブルＴ２に記憶されているか否かを判定する。
【０１１７】
制御部２０は、当該洗浄開始日時と当該作業者ＩＤとが対応付けて洗浄実績テーブルＴ２に記憶されていないと判定した場合にのみ、通信部２１を介して、当該洗浄開始日時（例えば、２０１７／１２／２１  ８：２０（図４））と当該作業者ＩＤ（例えば、Ａ００１（図４））とを対応付けて洗浄実績テーブルＴ２に記憶する。
【０１１８】
そして、制御部２０は、通信部２１が受信した合致実績情報に含まれるｎ番目の手洗い手順の合致時間（例えば、ＴＡ１１（図４））を通信部２１が受信した合致実績情報に含まれる洗浄開始日時及び作業者ＩＤと対応付けて洗浄実績テーブルＴ２に記憶する。
【０１１９】
したがって、洗浄実績テーブルＴ２において、作業者ＩＤと対応付けられているｎ番目の手洗い手順の合致時間を参照することにより、当該作業者ＩＤに対応する作業者が、ｎ番目の手洗い手順の模範動作と合致するための合致条件を満たすような手指の動作を得意とするか、苦手とするかを把握することができる。
【０１２０】
尚、ステップＳ９において、処理部１０が、第一要求情報を送信せずに、制御部２０と同様にして、通信部１１を介して合致実績情報を洗浄実績テーブルＴ２に記憶するようにしてもよい。
【０１２１】
また、処理部１０が、ステップＳ５においてｎ番目の手洗い手順の模範動作を表す模範手洗い画像ＤＭを手洗い画面Ｗに表示させた時点から、ステップＳ７において合致条件を満たしていると最初に判断した時点までの経過時間、及び、その後、前回のステップＳ７において合致条件を満たしていると判断した時点から、次のステップＳ７において合致条件を満たしていると判断した時点までの経過時間のうち、最小又は最大の経過時間を、ｎ番目の手洗い手順の合致時間として算出するようにしてもよい。
【０１２２】
または、処理部１０が、ステップＳ５においてｎ番目の手洗い手順の模範動作を表す模範手洗い画像ＤＭを手洗い画面Ｗに表示させた時点から、ステップＳ７において合致条件を満たしていると最初に判断した時点までの経過時間を、ｎ番目の手洗い手順の合致時間として算出するようにしてもよい。
【０１２３】
ステップＳ９の後、処理部１０は、ステップＳ７で合致条件を満たしていると判断された作業者の手指の動作の回数又は時間が、ｎ番目の手洗い手順を達成するための達成条件を満たしているか否かを判断する（ステップＳ１０）。各手洗い手順を達成するための達成条件は、合致条件を満たしていると判断された作業者の手指の動作の回数又は時間に基づき予め定められている。
【０１２４】
例えば、ｎ番目の手洗い手順の達成条件として「１０回」が予め定められているものとする。この場合、ステップＳ１０において、処理部１０は、ステップＳ５においてｎ番目の手洗い手順の模範動作を表す模範手洗い画像ＤＭを手洗い画面Ｗに表示させた時点から、ステップＳ７において合致条件を満たしていると判断した回数が１０回未満である場合、達成条件を満たしていないと判断する（ステップＳ１０；ＮＯ）。一方、処理部１０は、当該回数が１０回である場合、達成条件を満たしていると判断する（ステップＳ１０；ＹＥＳ）。
【０１２５】
又は、ｎ番目の手洗い手順の達成条件として「２０秒」が予め定められているものとする。この場合、ステップＳ１０において、処理部１０は、ステップＳ５においてｎ番目の手洗い手順の模範動作を表す模範手洗い画像ＤＭを手洗い画面Ｗに表示させた時点から、直近のステップＳ７において合致条件を満たしていると判断した時点までの経過時間が、「２０秒」未満である場合、達成条件を満たしていないと判断する（ステップＳ１０；ＮＯ）。一方、処理部１０は、当該経過時間が「２０秒」以上である場合、達成条件を満たしていると判断する（ステップＳ１０；ＹＥＳ）。
【０１２６】
処理部１０は、ステップＳ１０において、ｎ番目の手洗い手順を達成するための達成条件を満たしていないと判断した場合（ステップＳ１０；ＮＯ）、処理をステップＳ７に戻す。その後は、ステップＳ７以降の処理が行われる。これにより、処理部１０は、ｎ番目の手洗い手順を達成するための達成条件を満たしていると判断するまでの間、次のｎ＋１番目の手洗い手順の模範動作を表す模範手洗い画像ＤＭを表示させないようにする。
【０１２７】
このため、作業者に、現在の手洗い手順を達成するための達成条件を満たすまで、現在の手洗い手順の模範動作と合致するための合致条件を満たすような手指の動作を確実に作業者に行わせることができる。
【０１２８】
一方、処理部１０は、ステップＳ１０において、ｎ番目の手洗い手順を達成するための達成条件を満たしていると判断したとする（ステップＳ１０；ＹＥＳ）。この場合、処理部１０は、当該達成条件を満たした実績に関連する達成実績情報を洗浄実績テーブルＴ２に記憶する（ステップＳ１１）。ここで、達成実績情報には、作業者の作業者ＩＤ、洗浄開始日時及びｎ番目の手洗い手順の達成時間が含まれる。
【０１２９】
具体的には、ステップＳ１１において、処理部１０は、達成実績情報と達成実績情報の記憶を要求する第二要求情報とを通信部１１を介してサーバ２に送信する。より具体的には、処理部１０は、ステップＳ９において合致実績情報に含めた洗浄開始日時及び作業者ＩＤを含む達成実績情報を生成する。そして、処理部１０は、ステップＳ５でｎ番目の手洗い手順の模範動作を表す模範手洗い画像ＤＭを手洗い画面Ｗに表示させた時点から、ステップＳ１０で当該ｎ番目の手洗い手順を達成するための達成条件を満たしていると判断する時点までの経過時間をｎ番目の手洗い手順の達成時間として、前記生成した達成実績情報に含める。そして、処理部１０は、当該達成実績情報と第二要求情報とを通信部１１を介してサーバ２に送信する。
【０１３０】
これにより、サーバ２において、通信部２１が達成実績情報と第二要求情報とを受信したとする。この場合、制御部２０は、通信部２１が受信した達成実績情報に含まれるｎ番目の手洗い手順の達成時間（例えば、ＴＰ１１（図４））を、通信部２１が受信した達成実績情報に含まれる洗浄開始日時（例えば、２０１７／１２／２１  ８：２０（図４））及び作業者ＩＤ（例えば、Ａ００１（図４））と対応付けて洗浄実績テーブルＴ２に記憶する。
【０１３１】
したがって、洗浄実績テーブルＴ２において、作業者ＩＤと対応付けられているｎ番目の手洗い手順の達成時間を参照することで、当該作業者ＩＤに対応する作業者が、ｎ番目の手洗い手順を得意とするか、苦手とするかを把握することができる。
【０１３２】
尚、ステップＳ１１において、処理部１０が、第二要求情報を送信せずに、制御部２０と同様にして、通信部１１を介して達成実績情報を洗浄実績テーブルＴ２に記憶するようにしてもよい。
【０１３３】
ステップＳ１１の後、処理部１０は、ｎ番目の手洗い手順が、手洗い作業において最後に行われる手洗い手順（以降、最終手順）であるか否かを判断する（ステップＳ１２）。ステップＳ１２において、処理部１０は、ｎ番目の手洗い手順が最終手順ではないと判断した場合（ステップＳ１２；ＮＯ）、ｎを１だけカウントアップした後（ステップＳ１３）、処理をステップＳ５に戻す。その後は、ステップＳ５以降の処理が行われる。これにより、次の手洗い手順を作業者に遂行させることができる。
【０１３４】
一方、ステップＳ１２において、処理部１０は、ｎ番目の手洗い手順が最終手順であると判断した場合（ステップＳ１２；ＹＥＳ）、作業者によって手洗い作業に含まれる全ての手洗い手順が完遂されたと判断し、手洗い手順を完遂した実績を示す完遂実績情報を洗浄実績テーブルＴ２に記憶する（ステップＳ１４）。
【０１３５】
具体的には、ステップＳ１４において、処理部１０は、完遂実績情報として、作業者が手洗い作業を完遂するのに要した時間である総手洗い時間を洗浄実績テーブルＴ２に記憶する。より具体的には、処理部１０は、ステップＳ５で、１番目の手洗い手順の模範動作を表す模範手洗い画像ＤＭを手洗い画面Ｗに表示させた時点から、ステップＳ１０において、当該ｎ番目の手洗い手順を達成するための達成条件を満たしていると判断する時点までの経過時間（例えば、ＴＰ０１（図４））を総手洗い時間とする。そして、処理部１０は、当該総手洗い時間を、ステップＳ９で洗浄実績テーブルＴ２に記憶した洗浄開始日時（例えば、２０１７／１２／２１  ８：２０（図４））及びステップＳ３で取得した洗浄実績情報に含まれる当該作業者の作業者ＩＤ（例えば、Ａ００１（図４））と対応付けて洗浄実績テーブルＴ２に記憶する。
【０１３６】
ステップＳ１４の終了によって、手洗い補助システム１００における作業者の手洗い作業を補助する動作は終了する。その後は、作業者によって、手指に付いた洗剤を洗い流す作業が行われる。
【０１３７】
本実勢形態の態様によれば、作業者の手指を撮像した手指画像ＤＦと、作業者が行っている手洗い手順の模範動作を表す模範手洗い画像ＤＭと、作業者の手指の動作が合致条件を満たす動作となるように指図する指図情報ＤＧと、が同一の手洗い画面Ｗ上に表示される。このため、手洗い作業中の作業者に、自身の手指の動作と、作業者が行っている手洗い手順の模範動作と、指図情報ＤＧと、を同時に視認させることができる。
【０１３８】
これにより、一以上の手洗い手順の模範動作を作業者に予め指導することなく、また、作業者の年齢や国籍を問わずに、直観的に各手洗い手順の模範動作を作業者に遂行させることができる。その結果、作業者に正しい動作で手洗い作業を遂行させることができ、手指を介した感染症の伝染を予防することができる。
【０１３９】
（変形実施形態）
上記態様は、本開示に係る実施形態の例示に過ぎず、本開示を上記態様に限定する趣旨ではない。例えば、以下に示す変形実施形態であってもよい。図９は、模範手洗い画像ＤＭ、手指画像ＤＦ及び指図情報ＤＧの変形表示例を示す図である。図１０は、模範手洗い画像ＤＭ、手指画像ＤＦ及び指図情報ＤＧの他の変形表示例を示す図である。
【０１４０】
（１）図９に示すように、ステップＳ１０において、処理部１０が、更に、ステップＳ７で合致条件を満たしていると判断された作業者の手指の動作の回数又は時間が、ｎ番目の手洗い手順を達成するための達成条件をどの程度満たしているかを表す達成度情報ＬＡを、表示部１３によって手洗い画面Ｗ上に表示させるようにしてもよい。
【０１４１】
例えば、ｎ番目の手洗い手順の達成条件として「１０回」が予め定められているものとする。また、ステップＳ５においてｎ番目の手洗い手順の模範動作を表す模範手洗い画像ＤＭを手洗い画面Ｗに表示させた時点から、ステップＳ７において合致条件を満たしていると判断した回数が「６回」であるとする。この場合、当該ステップＳ１０において、処理部１０が、達成条件を「６０％（＝６回／１０回）」だけ満たしていると判断し、図９に示すように、当該「６０％」を示す達成度情報ＬＡを、手洗い画面Ｗ上に表示させるようにしてもよい。
【０１４２】
又は、ｎ番目の手洗い手順の達成条件として「２０秒」が予め定められているものとする。また、ステップＳ５においてｎ番目の手洗い手順の模範動作を表す模範手洗い画像ＤＭを手洗い画面Ｗに表示させた時点から、直近のステップＳ７において合致条件を満たしていると判断した時点までの経過時間が「１２秒」であるとする。この場合、当該ステップＳ１０において、処理部１０が、達成条件を「６０％（＝１２秒／２０秒）」だけ満たしていると判断し、図９に示すように、当該「６０％」を示す達成度情報ＬＡを、手洗い画面Ｗ上に表示させるようにしてもよい。
【０１４３】
この場合、作業者は、当該達成度情報ＬＡを視認することで現在行っている手洗い手順の進捗を把握することができる。
【０１４４】
（２）ステップＳ３で取得された洗浄実績情報に含まれる作業者ＩＤに対応付けられたｎ番目の手洗い手順の達成時間が所定の第二時間よりも短いとする。この場合、処理部１０が、ステップＳ１０において、ｎ番目の手洗い手順の達成条件に代えて、当該達成条件よりも厳しい代替条件を用いるようにしてもよい。つまり、処理部１０が、当該ステップＳ１０において、ステップＳ７で合致条件を満たしていると判断された作業者の手指の動作の回数又は時間が、代替条件を満たしているか否かを判断するようにしてもよい。
【０１４５】
例えば、ｎ番目の手洗い手順の達成条件として「１０回」が定められている場合、代替条件は、当該達成条件よりも大きい回数（例えば、「１２回」）となるように定めればよい。また、ｎ番目の手洗い手順の達成条件として「２０秒」が定められている場合、代替条件は、当該達成条件よりも長い時間（例えば、「２２秒」）となるように定めればよい。
【０１４６】
本態様によれば、合致条件を満たしていると判断された作業者の手指の動作の回数又は時間が達成条件を満たすまでに第二時間よりも短い時間しか要さない場合、ステップＳ１０において、ステップＳ７で合致条件を満たしていると判断された作業者の手指の動作の回数又は時間が、当該達成条件よりも厳しい代替条件を満たしているか否かが判断される。
【０１４７】
これにより、当該達成条件よりも厳しい代替条件を満たすために、合致条件を満たしていると判断されるような手指の動作を、作業者により多く又は長く行わせることができる。その結果、達成条件を満たすまでに第二時間よりも短い時間しか要さない、作業者が雑に行うと考えられる手洗い手順の模範動作に合致する手指の動作を、作業者に丁寧に行わせることができる。
【０１４８】
（３）また、上記（１）の変形実施形態の態様におけるステップＳ１０において、処理部が、ステップＳ３で取得された洗浄実績情報に含まれる作業者ＩＤに対応付けられたｎ番目の手洗い手順の達成時間が所定の第二時間よりも短い場合には、達成度情報ＬＡを所定時間遅らせて表示させるようにしてもよい。
【０１４９】
本態様によれば、合致条件を満たしていると判断された作業者の手指の動作の回数又は時間が、達成条件を満たすまでに第二時間よりも短い時間しか要さない場合、ステップＳ１０において、達成度情報ＬＡが所定時間遅れて表示される。
【０１５０】
これにより、作業者に、手洗い作業の進捗が本来よりも遅れているように感じさせることができる。その結果、達成条件を満たすまでに第二時間よりも短い時間しか要さない、作業者が雑に行うと考えられる手洗い手順の模範動作に合致する手指の動作を、作業者に丁寧に行わせることができる。
【０１５１】
（４）処理部１０が、ステップＳ７において作業者の手指の動作がｎ番目の手洗い手順の模範動作と合致するための合致条件を満たしていないと判断したとする（ステップＳ７；ＮＯ）。また、ステップＳ３で取得された洗浄実績情報に含まれる作業者ＩＤに対応付けられたｎ番目の手洗い手順の合致時間が所定の第一時間よりも長いとする。
【０１５２】
この場合、処理部１０が、模範手洗い画像ＤＭを、当該模範手洗い画像ＤＭが表すｎ番目の手洗い手順の模範動作を異なる視線で見たときに視認される画像に変更し、当該変更後の画像を洗い画面Ｗ上の任意の位置に表示させるようにしてもよい。
【０１５３】
例えば、ステップ５において、上記両手の指の間を洗う手順の模範動作を上方から見たときに視認される画像が模範手洗い画像ＤＭとして手洗い画面Ｗに表示されたとする。その後、処理部１０が、ステップＳ７において作業者の手指の動作が、上記両手の指の間を洗う手順の模範動作と合致するための合致条件を満たしていないと判断したとする（ステップＳ７；ＮＯ）。また、ステップＳ３で取得された洗浄実績情報に含まれる作業者ＩＤに対応付けられた上記両手の指の間を洗う手順の合致時間が所定の第一時間よりも長かったとする。
【０１５４】
この場合、処理部１０が、ステップＳ１０において、図９に示すように、前記模範手洗い画像ＤＭを、上記両手の指の間を洗う手順の模範動作を右方向から見たときに視認される画像に変更し、当該変更後の模範手洗い画像ＤＭａを手指画像ＤＦの上方に表示させるようにしてもよい。
【０１５５】
本態様によれば、作業者の手指の動作が合致条件を満たすまでに第一時間よりも長い時間を要すると考えられるとき、模範手洗い画像ＤＭが、当該模範手洗い画像ＤＭが表す模範動作を異なる視線で見たときに視認される画像に変更される。このため、作業者は、当該変更後の模範手洗い画像ＤＭａが表す模範動作を視認して、より早く、自身の手指を合致条件を満たすように動作させることができる。
【０１５６】
（５）処理部１０が、ステップＳ７において作業者の手指の動作がｎ番目の手洗い手順の模範動作と合致するための合致条件を満たしていないと判断したとする（ステップＳ７；ＮＯ）。また、ステップＳ３で取得された洗浄実績情報に含まれる作業者ＩＤに対応付けられたｎ番目の手洗い手順の合致時間が所定の第一時間よりも長いとする。
【０１５７】
この場合、処理部１０が、ステップＳ８において、指図情報ＤＧを強調して表示部１３に表示させるようにしてもよい。具体的には、例えば、図９に示すように、処理部１０が、ステップＳ８において、上記両手の指の間を洗う手順において最も洗うべき指の間を表す画像ＤＧａと、上記両手の指の間を洗う手順の模範動作を表すメッセージＤＧｂと、を指図情報ＤＧとして表示部１３に表示させることで、指図情報ＤＧを強調して表示するようにしてもよい。尚、指図情報ＤＧを強調して表示部１３に表示させる方法は、これに限らず、指図情報ＤＧを点滅するように表示してもよい。
【０１５８】
また、処理部１０が、更に、作業者の手指の動作が合致条件を満たす動作となるように案内する案内音声を、音声出力部１７に出力させるようにしてもよい。具体的には、処理部１０が、作業者の手指の動作が上記両手の指の間を洗う手順の合致条件を満たす動作となるように案内する案内音声（例えば、メッセージ「両手の指を組んで指の間を洗って下さい。」を示す音声）を、音声出力部１７に出力させるようにしてもよい。
【０１５９】
これらの態様によれば、作業者の手指の動作が合致条件を満たすまでに第一時間よりも長い時間を要すると考えられる場合、指図情報ＤＧが強調して表示され、また、作業者の手指の動作が当該合致条件を満たす動作となるように案内する案内音声が出力される。
【０１６０】
このため、作業者は、当該強調して表示された指図情報を視認して、より早く、自身の手指を合致条件を満たすように動作させることができる。また、作業者は、前記案内音声を聞き、より早く、自身の手指を合致条件を満たすように動作させることができる。
【０１６１】
（６）処理部１０が、ステップＳ７において作業者の手指の動作がｎ番目の手洗い手順の模範動作と合致するための合致条件を満たしていないと判断したとする（ステップＳ７；ＮＯ）。また、ステップＳ３で取得された洗浄実績情報に含まれる作業者ＩＤに対応付けられたｎ番目の手洗い手順の合致時間が所定の第一時間よりも長いとする。
【０１６２】
この場合、処理部１０が、更に、洗剤を吐出させるか否かを尋ねる第一メッセージ（例えば、「洗剤を吐出させますか？」）を表示部１３によって手洗い画面Ｗ上に表示させるようにしてもよい。そして、第一メッセージが表示された後、洗剤吐出部１５によって洗剤が吐出された場合、処理部１０が、ｎを初期値の１に戻し、ステップＳ５以降の処理を行わせるようにしてもよい。これにより、当該ステップＳ５において、手洗い画面Ｗ上に表示されている模範手洗い画像ＤＭを、最初に行う手洗い手順の模範動作を表す模範手洗い画像ＤＭに変更させるようにしてもよい。
【０１６３】
本態様によれば、作業者が、第一時間内に合致条件を満たす手指の動作を行わず、誤った手指の動作を遂行すると考えられる場合に、作業者に第一メッセージを視認させることができる。これにより、作業者に、洗剤吐出部１５を用いて洗剤を吐出させ、最初に行う手洗い手順から、各手洗い手順の模範動作に合致するような手指の動作をやり直させることができる。
【０１６４】
（７）処理部１０が、ステップＳ７において作業者の手指の動作がｎ番目の手洗い手順の模範動作と合致するための合致条件を満たしていないと判断したとする（ステップＳ７；ＮＯ）。また、ステップＳ３で取得された洗浄実績情報に含まれる作業者ＩＤに対応付けられたｎ番目の手洗い手順の合致時間が所定の第一時間よりも長いとする。
【０１６５】
この場合、処理部１０が、手洗い作業の管理者を呼び出すか否かを尋ねる第二メッセージ（例えば、「管理者をお呼びしましょうか？」）を表示部１３によって手洗い画面Ｗ上に表示させるようにしてもよい。そして、第二メッセージが表示された後、音声入力部１８によって音声が取得された場合に、処理部１０が、公知の音声認識処理を行うことにより、当該取得された音声が、管理者を呼び出すことを示す音声であるか否かを判断するようにしてもよい。そして、処理部１０が、当該取得された音声が管理者を呼び出すことを示す音声であると判断した場合、管理者を呼び出すための所定の処理を実行するようにしてもよい。
【０１６６】
管理者を呼び出すための所定の処理とは、例えば、通信部１１を介して、手洗い補助システム１００の管理者が利用する外部装置に、洗浄装置１にまで出向くことを依頼するメッセージを送信する処理である。尚、当該所定の処理は、これに限らず、例えば、音声出力部１７によって、管理者を洗浄装置１にまで出向かせる旨の音声（例えば、「管理者○○さん。洗浄装置１までお越し下さい。」）を出力させる処理であってもよい。
【０１６７】
本態様によれば、作業者が、第一時間内に合致条件を満たす手指の動作を行わず、誤った手指の動作を遂行すると考えられる場合に、作業者に第二メッセージを視認させることができる。これにより、作業者に、管理者を呼び出すことを示す音声を発話させ、管理者を呼び出させることができる。その結果、管理者による指導の下で、作業者に各手洗い手順の模範動作に合致するような手指の動作を速やかに遂行させることができる。
【０１６８】
（８）図１０に示すように、処理部１０が、ステップＳ５において表示させる模範手洗い画像ＤＭは、半透明の画像ＤＭａであってもよい。この場合、半透明の模範手洗い画像ＤＭａが表示されるので、手指画像ＤＦａと模範手洗い画像ＤＭａとが重なるように表示されたとしても、作業者は、模範手洗い画像ＤＭａが表す模範動作を容易に把握することができる。
【０１６９】
（９）図１０に示すように、処理部１０が、ステップＳ６において、公知の画像処理を行うことにより、手指画像ＤＦをデフォルメした手指の画像に加工し、当該加工後の手指画像ＤＦａを手洗い画面Ｗに表示させるようにしてもよい。この場合、デフォルメした手指の画像によって表された手指画像ＤＦａが表示されるので、作業者に、自身の手指を撮影した画像がそのまま手洗い画面Ｗに表示されることによる不快感を与えることなく、各手洗い手順の模範動作を励行させることができる。
【０１７０】
（１０）図１０に示すように、処理部１０が、ステップＳ８において表示させる指図情報ＤＧは、図１０の符号ＤＧｃ、ＤＧｄ、ＤＧｅに示すような記号のみであってもよい。この場合、各手洗い手順の模範動作を作業者に予め指導することなく、また、作業者の年齢や国籍を問わずに、直観的に合致条件を満たすような手指の動作を作業者に遂行させることができる。
【０１７１】
（１１）ステップＳ８を省略してもよい。これに合わせて、ステップＳ７において、処理部１０が、作業者の手指の動作が、模範手洗い画像ＤＭが表す模範動作と合致するための合致条件を満たしていないと判断した場合に（ステップＳ７；ＮＯ）、当該判断の結果を示す情報（例えば、メッセージ「模範動作に合致していません。」）を、表示部１３によって手洗い画面Ｗ上に表示させるようにしてもよい。
【０１７２】
（１２）サーバ２が備える記憶部２２におけるデータの記憶領域の一部を、作業者テーブルＴ１及び洗浄実績テーブルＴ２として利用し、制御部２０が、通信部２１を介さずに当該作業者テーブルＴ１及び洗浄実績テーブルＴ２にアクセスするようにしてもよい。この場合、手洗い補助システム１００にデータベース３を備えないようにしてもよい。
【０１７３】
（１３）手洗い補助システム１００にサーバ２を備えないようにし、図５に示す各ステップを洗浄装置１単独で行うようにしてもよい。更に、手洗い補助システム１００にデータベース３を備えないようにし、ステップＳ１〜Ｓ３、ステップＳ９、ステップＳ１１及びステップＳ１４を省略してもよい。つまり、洗浄装置１単独で、ステップＳ４〜Ｓ１０、ステップＳ１２及びステップＳ１３を行うようにしてもよい。
【０１７４】
（１４）ステップＳ１〜Ｓ３、ステップＳ７〜Ｓ１１及びステップＳ１４を省略し、ステップＳ６の後、所定時間経過後に、ステップＳ１２を行うようにしてもよい。
【産業上の利用可能性】
【０１７５】
本開示は、食品工場、薬品工場、病院、病院及び介護施設等の作業者に手指の清潔性が求められる施設において、作業者に模範的な手洗いを励行させる用途に応用できる。
【符号の説明】
【０１７６】
１００  手洗い補助システム
１  洗浄装置（手洗い補助装置）
１０  処理部
１２  撮像部
１３  表示部
１４  操作部
１５  洗剤吐出部
１６  吐水部
１７  音声出力部
１８  音声入力部
２  サーバ
３  データベース（記憶部）
ＤＦ、ＤＦａ  手指画像
ＤＧ  指図情報
ＤＭ、ＤＭａ  模範手洗い画像
ＬＡ  達成度情報
Ｗ  手洗い画面（同一画面）
【図１】
2019219554.tif 000003
【図２Ａ】
2019219554.tif 000004
【図２Ｂ】
2019219554.tif 000005
【図３】
2019219554.tif 000006
【図４】
2019219554.tif 000007
【図５】
2019219554.tif 000008
【図６】
2019219554.tif 000009
【図７】
2019219554.tif 000010
【図８】
2019219554.tif 000011
【図９】
2019219554.tif 000012
【図１０】
2019219554.tif 000013